(57)【特許請求の範囲】
【請求項１】
第１アームと、支軸回りで相対回転自在に第１アームに連結される第２アームと、少なくとも第１および第２アームの可動範囲で支軸回りに回転角を表示する角度目盛りと、少なくとも第１アームに対して重力方向を特定する傾斜角度計と、第１アームの延長線上に延びる延長アームと、第１アームに取り付けられて、前記支軸に平行に延びる第１測定用アームと、延長アームに取り付けられて、前記支軸に平行に延びる第２測定用アームとを備えることを特徴とする角度測定器。
【請求項２】
請求項１に記載の角度測定器において、前記第１測定用アームは前記第１アームに沿って平行移動することを特徴とする角度測定器。
【請求項３】
請求項１に記載の角度測定器において、前記第２測定用アームは前記延長アームに沿って平行移動することを特徴とする角度測定器。
【請求項４】
請求項１に記載の角度測定器において、前記第１測定用アームは、前記支軸に平行に延びる第１姿勢と、前記支軸に直交する１平面に沿って延びる第２姿勢との間で姿勢を変化させることを特徴とする角度測定器。
【請求項５】
請求項１に記載の角度測定器において、前記第２測定用アームは、前記支軸に平行に延びる第１姿勢と、前記支軸に直交する１平面に沿って延びる第２姿勢との間で姿勢を変化させることを特徴とする角度測定器。
【請求項６】
第１アームと、第１アームに取り付けられる第１測定用アームと、第１アームの延長線上に延びる延長アームと、延長アームに取り付けられる第２測定用アームと、所定の回転軸回りで回転し、重力方向を特定する指針と、回転軸回りに回転角を表示する角度目盛りとを備え、第１測定用アームは、第１アームに直交する測定姿勢と、第１アームに平行に延びる格納姿勢との間で姿勢を変化させ、第２測定用アームは、第２アームに直交する測定姿勢と、第２アームに平行に延びる格納姿勢との間で姿勢を変化させることを特徴とする角度測定器。
【発明の詳細な説明】
【技術分野】
【０００１】  本発明は、例えば人体の関節回りで角度の測定に用いられる角度測定器に関する。
【背景技術】
【０００２】  例えばリハビリテーションの分野では上腕および前腕の相対角度が測定される。こういった測定にあたっていわゆる角度測定器は広く用いられる。この角度測定器は第１および第２アームを備える。第２アームは、第１アームに固定される支軸回りで相対回転自在に第１アームに取り付けられる。第１アームには目盛り盤が固定される。目盛り盤には支軸回りで回転角が表示される。第１アームに対して第２アームが相対回転すると、その回転角度は目盛り盤で読み取られることができる。【０００３】  従来の角度測定器によれば、上腕および前腕の間で相対角度は比較的に簡単に測定されることができる。しかしながら、こういった測定にあたって例えば胴体および上腕の相対関係は全く考慮されていない。上腕および前腕の相対角度の測定にあたって人体全体と上腕との相対関係がさらに規定されれば、例えばリハビリテーションの分野で治療対象者の快復度は定量的にきめ細かく判定されることができる。
【特許文献１】特許２６８１４９９号公報
【発明の開示】
【０００４】  本発明は、上記実状に鑑みてなされたもので、人体測定の定量化に大いに貢献することができる角度測定器を提供することを目的とする。
【０００５】  上記目的を達成するために、第１発明によれば、第１アームと、支軸回りで相対回転自在に第１アームに連結される第２アームと、少なくとも第１および第２アームの可動範囲で支軸回りに回転角を表示する角度目盛りと、少なくとも第１アームに対して重力方向を特定する傾斜角度計とを備えることを特徴とする角度測定器が提供される。
【０００６】  こういった角度測定器は例えば上腕および前腕の角度の測定にあたって利用されることができる。このとき、第１および第２アームの相対角度は角度目盛りで単純に読み取られることができる。しかも、測定者は傾斜角度計に基づき重力方向すなわち鉛直方向に対して上腕や前腕の傾斜角を導き出すことができる。こうした傾斜角が上腕および前腕の相対角度に関連付けられる結果、上腕および前腕の相対角度の測定にあたって人体全体と上腕や前腕との相対関係がさらに規定される。こうして例えばリハビリテーションの分野で治療対象者の快復度は定量的にきめ細かく判定されることができる。傾斜角度計は、例えば、支軸に同軸の回転軸回りで回転し、重力方向を特定する指針を備えればよい。その他、傾斜角度計はひずみゲージに基づき重力方向を特定してもよい。
【０００７】  この角度測定器では角度目盛りは支軸回りに相対回転してもよい。こういった相対回転に基づき角度目盛りはさらに的確に読み取られることができる。角度の読み誤りは回避されることができる。
【０００８】  こういった角度測定器は、第１アームの延長線上に延びる延長アームと、第１アームに取り付けられて、支軸に平行に延びる第１測定用アームと、延長アームに取り付けられて、支軸に平行に延びる第２測定用アームとをさらに備えてもよい。
【０００９】  こういった角度測定器は例えば骨盤の傾斜角の測定にあたって利用されることができる。このとき、第１および第２測定用アームの先端は左右の上前腸骨棘にそれぞれ押し当てられる。指針で指し示される角度目盛りに基づき骨盤の傾斜角は測定されることができる。
【００１０】  一般に、人体では上前腸骨棘の間で腹部の出っ張りなどが観察される。この角度測定器によれば、第１アームおよび延長アームから第１および第２測定用アームが突き出ることから、骨盤の傾斜角は確実に第１アームおよび延長アームの傾きに反映される。したがって、正確に骨盤の傾斜角は測定されることができる。仮に、第１および第２測定用アームが省略されると、腹部の出っ張りに邪魔されて第１アームや延長アームは人体から浮き上がってしまう。第１アームや延長アームと上前腸骨棘との間に大きな間隔が形成されてしまう。第１アームおよび延長アームの傾斜角は十分に骨盤の傾斜角を反映することができない。
【００１１】  第１測定用アームは第１アームに沿って平行移動することが望まれる。こうして第１測定用アームの平行移動が実現されると、第１および第２測定用アームの間隔は調整されることができる。第１および第２測定用アームの間隔は左右の上前腸骨棘の間隔に合わせ込まれることができる。こうして第１および第２測定用アームは正確に上前腸骨棘に位置合わせされることができる。同様に、第２測定用アームが延長アームに沿って平行移動してもよい。
【００１２】  第１測定用アームは、支軸に平行に延びる第１姿勢と、支軸に直交する１平面に沿って延びる第２姿勢との間で姿勢を変化させてもよい。同様に、第２測定用アームは、支軸に平行に延びる第１姿勢と、支軸に直交する１平面に沿って延びる第２姿勢との間で姿勢を変化させてもよい。こういった角度測定器は例えば背骨の傾斜角の測定にあたって利用されることができる。このとき、第１および第２測定用アームの先端は胸部および腹部にそれぞれ押し当てられればよい。
【００１３】  角度測定器には、回転軸回りで不動に指針を仮固定する仮止め部材がさらに取り付けられてもよい。こうして指針の観察時に指針が一時的に固定されれば、鉛直方向の特定は高い精度で実現されることができる。
【００１４】  角度目盛りは支軸回りで３６０度にわたって所定の間隔で角度を表示することが望まれる。こうして角度目盛りは様々な基準に基づき回転位置が設定されることができる。角度測定器の汎用性はさらに高められることができる。
【００１５】  第２発明によれば、第１アームと、第１アームに取り付けられる第１測定用アームと、第１アームの延長線上に延びる延長アームと、延長アームに取り付けられる第２測定用アームと、所定の回転軸回りで回転し、重力方向を特定する指針と、回転軸回りに回転角を表示する角度目盛りとを備える角度測定器が提供される。ここで、第１測定用アームは、第１アームに直交する測定姿勢と、第１アームに平行に延びる格納姿勢との間で姿勢を変化させることができる。同様に、第２測定用アームは、第２アームに直交する測定姿勢と、第２アームに平行に延びる格納姿勢との間で姿勢を変化させることができる。
【００１６】  こういった角度測定器は例えば骨盤の傾斜角の測定にあたって利用されることができる。測定にあたって第１および第２測定用アームは測定姿勢に位置決めされる。こうして第１および第２測定用アームの先端は左右の上前腸骨棘にそれぞれ押し当てられることができる。指針で指し示される角度目盛りに基づき骨盤の傾斜角は測定されることができる。しかも、前述と同様に、第１アームおよび延長アームから第１および第２測定用アームが突き出ることから、骨盤の傾斜角は確実に第１アームおよび延長アームの傾きに反映される。したがって、正確に骨盤の傾斜角は測定されることができる。第１および第２測定用アームが格納姿勢に位置決めされれば、第１および第２測定用アームの突出は抑制されることができる。角度測定器はコンパクトに収納されることができる。
【図面の簡単な説明】
【００１７】
【図１】本発明の第１実施形態に係る角度測定器の全体構成を概略的に示す斜視図である。
【図２】図１の２−２線に沿った垂直断面図である。
【図３】図２の３−３線に沿った拡大垂直断面図である。
【図４】角度測定器の分解斜視図である。
【図５】骨盤の傾斜角の測定にあたって用いられる角度測定器の正面図である。
【図６】上腕および前腕の角度の測定にあたって用いられる角度測定器の正面図である。
【図７】本発明の第２実施形態に係る角度測定器の全体構成を概略的に示す斜視図である。
【図８】図２に対応する垂直断面図である。
【図９】背骨の傾斜角の測定にあたって用いられる角度測定器の正面図である。
【図１０】傾斜角度計の構造を示す拡大垂直断面図である。
【発明を実施するための最良の形態】
【００１８】  以下、添付図面を参照しつつ本発明の実施形態を説明する。【００１９】  図１は本発明の第１実施形態に係る角度測定器１１の外観を示す。この角度測定器１１は第１アームすなわち第１固定アーム１２を備える。第１固定アーム１２の一端には振子式の傾斜角度計１３が固定される。傾斜角度計１３は、第１固定アーム１２に一体に形成される支持体１４に組み込まれる。支持体１４には、第１固定アーム１２の延長線上に延びる延長アームすなわち第２固定アーム１５が固定される。第２固定アーム１５は支持体１４に一体に形成されればよい。【００２０】  傾斜角度計１３には支軸１６が取り付けられる。支軸１６には、この支軸１６回りで回転自在に第２アームすなわち回転バー１７が取り付けられる。この回転バー１７は例えば透過性の樹脂板から形成されればよい。回転バー１７の表面には、支軸１６の軸心から延びる直線１８が描かれる。例えば、支軸１６の先端から支軸１６の軸心に沿ってねじ込まれるねじに基づき回転バー１７は支軸１６上に連結される。【００２１】  傾斜角度計１３の表面には角度目盛り盤１９が取り付けられる。角度目盛り盤１９には、支軸１６回りで３６０度にわたって所定の間隔で角度が表示される。ここでは、中心角１０度ごとに目盛りは刻まれる。【００２２】  傾斜角度計１３は、支軸１６に同軸の回転軸回りで回転する指針２１すなわち振子針を備える。指針２１は重り（図示されず）と鏃２１ａとを備える。回転軸は、鏃２１ａの先端と重りの重心とを結ぶ直線上に配置される。したがって、重りに重力が作用すると、鏃２１ａの先端は鉛直方向真上を指し示す。【００２３】  支持体１４には例えば支軸１６回りに中心角９０度の間隔で矢印表示２２が付される。第１および第２固定アーム１２、１５が水平姿勢に維持されると、鏃２１ａの先端は１矢印表示２２を指し示す。こうして指し示される矢印表示２２に隣接する矢印表示２２は水平方向を指し示す。【００２４】  第１固定アーム１２には第１測定用アームすなわち第１回転スライドアーム２３が取り付けられる。第１回転スライドアーム２３は支軸１６に平行な姿勢を維持することができる。第１回転スライドアーム２３は第１固定アーム１２上で平行移動することができる。同時に、第１回転スライドアーム２３は支軸１６に平行に長手方向に前後移動することができる。同様に、第２固定アーム１５には第２測定用アームすなわち第２回転スライドアーム２４が取り付けられる。第２回転スライドアーム２４は支軸１６に平行な姿勢を維持することができる。第２回転スライドアーム２４は第２固定アーム１５上で平行移動することができる。同時に、第２回転スライドアーム２４は支軸１６に平行に長手方向に前後移動することができる。【００２５】  第１回転スライドアーム２３の平行移動は、第１固定アーム１２に穿たれる開口２６で案内される。開口２６は例えば直方体の空間を区画する。この直方体の空間は第１回転スライドアーム２３の外形に象られる。同様に、第２回転スライドアーム２４の平行移動は、第２固定アーム１５に穿たれる開口２７で案内される。開口２７は例えば直方体の空間を区画する。この直方体の空間は第２回転スライドアーム２４の外形に象られ��。【００２６】  図２から明らかなように、第１回転スライドアーム２３にはスライダ２８が組み込まれる。スライダ２８は、第１回転スライドアーム２３内で長手方向に延びる経路２９に沿って前後移動することができる。スライダ２８には鉛直方向に延びる上下１対の案内軸３１、３１が形成される。案内軸３１、３１の軸心は同一直線上に配置される。案内軸３１、３１は、スライダ２８の経路２９に平行に延びる長孔３２、３２から突き出る。スライダ２８が第１回転スライドアーム２３内で前後移動すると、案内軸３１、３１は長孔３２、３２に沿って前後移動する。案内軸３１、３１の動きが第１固定アーム１２で拘束されると、第１回転スライドアーム２３は第１固定アーム１２に対して相対移動することができる。第２回転スライドアーム２４には同様にスライダ２８が組み込まれる。【００２７】  開口２６の内側には、第１固定アーム１２の長手方向に延びる１対の長溝３３、３３が形成される。長溝３３、３３は、相互に向き合う内壁面にそれぞれ形成されればよい。個々の長溝３３にはそれぞれ対応する案内軸３１が受け入れられる。前述のように第１回転スライドアーム２３の姿勢が支軸１６に平行に設定されると、長溝３３、３３に案内される案内軸３１、３１の働きで第１回転スライドアーム２３は第１固定アーム１２上で平行移動することができる。しかも、第１回転スライドアーム２３は、任意の鉛直方向軸回りで第１固定アーム１２に対して相対回転することができる。第２固定アーム１５には同様に長溝３３が形成される。【００２８】  第１回転スライドアーム２３や第２回転スライドアーム２４ではスライダ２８にねじ部材３４がねじ込まれる。ねじ部材３４の軸心は案内軸３１の軸心に平行に延びればよい。図３から明らかなように、ねじ部材３４のねじ部すなわち軸部は長孔３２に受け入れられる。したがって、ねじ部材３４がねじ込まれると、ねじ部材３４のねじ頭と第１回転スライドアーム２３との間で摩擦力が生成される。摩擦力の働きでスライダ２８の動きは第１回転スライドアーム２３に対して拘束される。長手方向に沿って第１回転スライドアーム２３の前後移動は阻止される。【００２９】  図４に示されるように、第１および第２固定アーム１２、１５および支持体１４は、相互に結合される第１および第２半体３６ａ、３６ｂから構成される。第１および第２半体３６ａ、３６ｂの結合に基づき前述の長溝３３は形成されればよい。同様に、第１半体３６ａには、前述の傾斜角度計１３を受け止める円形の窪み３７が形成される。第２半体３６ｂは、窪み３７に収容される傾斜角度計１３に覆い被さる。こうして傾斜角度計１３は第１および第２半体３６ａ、３６ｂに挟み込まれる。傾斜角度計１３は支持体１４内で指針２１の回転軸回りに回転することができる。傾斜角度計１３が指針２１の回転軸回りで回転すると、角度目盛り盤１９は同様に支軸１６の軸心回りで回転する。このとき、指針２１では鏃２１ａの先端は鉛直方向真上を指し示し続ける。その他、図４から明らかなように、第１回転スライドアーム２３が任意の鉛直方向軸回りで第１固定アーム１２に対して相対回転すると、第１回転スライドアーム２３は第１固定アーム１２の開口２６内に収容されることができる。こういった収容にあたって、第１回転スライドアーム２３は案内軸３１回りで第１固定アーム１２に対して相対回転すればよい。ねじ部材３４は一時的に取り外されればよい。同様に、第２回転スライドアーム２４は第２固定アーム１５の開口２７内に収容されることができる。【００３０】  いま、人体の骨盤の傾きを測定する場面を想定する。例えば図１に示されるように、第１および第２回転スライドアーム２３、２４は支軸１６に平行な姿勢に維持される。同時に、角度目盛り盤１９の「９０」度および「２７０」度は第１および第２固定アーム１２、１５に隣接する矢印表示２２に合わせ込まれる。その結果、指針２１の鏃２１ａが角度目盛り盤１９の「０」度や「１８０」度に合わせられると、第１および第２固定アーム１２、１５の水平姿勢は確立されることができる。【００３１】  図５に示されるように、測定者は測定対象者の左右の上前腸骨棘に第１および第２回転スライドアーム２３、２４の先端をそれぞれあてがう。第１および第２回転スライドアーム２３、２４の平行移動に基づき第１および第２回転スライドアーム２３、２４の先端の間隔は上前腸骨棘の間隔に合わせ込まれる。このとき、第１および第２回転スライドアーム２３、２４の水平姿勢は維持される。指針２１の鏃２１ａで指し示される角度表示に基づき骨盤の傾斜角度は測定されることができる。【００３２】  一般に、人体では上前腸骨棘の間で腹部の出っ張りなどが観察される。角度測定器１１によれば、第１および第２固定アーム１２、１５から第１および第２回転スライドアーム２３、２４が突き出ることから、骨盤の傾斜角は確実に第１および第２固定アーム１２、１５の傾きに反映される。したがって、正確に骨盤の傾斜角は測定されることができる。仮に、第１および第２回転スライドアーム２３、２４が省略されると、腹部の出っ張りに邪魔されて第１固定アーム１２や第２固定アーム１５は人体から浮き上がってしまう。第１固定アーム１２や第２固定アーム１５と上前腸骨棘との間に大きな間隔が形成されてしまう。第１および第２固定アーム１２、１５の傾斜角は十分に骨盤の傾斜角を反映することができない。【００３３】  次に、人体で上腕および前腕の角度を測定する場面を想定する。第１および第２回転スライドアーム２３、２４は平行移動および回転に基づき第１および第２固定アーム１２、１５内に格納される。第１固定アーム１２に隣接する矢印表示２２に角度目盛り盤１９の「０」度は合わせ込まれる。その後、例えば図６に示されるように、測定者は例えば人体の上腕３８に第１固定アーム１２をあてがう。このとき、支軸１６は上腕３８および前腕３９の間で関節の揺動中心に位置決めされる。【００３４】  続いて測定者は人体の前腕３９に回転バー１７をあてがう。回転バー１７の直線１８に基づき角度目盛り盤１９で角度は読み取られることができる。回転バー１７は透過性を有することから、回転バー１７に邪魔されずに確実に角度は読み取られることができる。こうして上腕３８および前腕３９の間で相対角度は測定されることができる。【００３５】  このとき、測定者は指針２１の鏃２１ａを観察することができる。こうした観察に応じて重力方向すなわち鉛直方向に対して上腕３８や前腕３９の傾斜角は導き出される。こうした傾斜角が上腕３８および前腕３９の相対角度に関連付けられる結果、上腕３８および前腕３９の相対角度の測定にあたって人体全体と上腕３８や前腕３９との相対関係がさらに規定される。こうして例えばリハビリテーションの分野で治療対象者の快復度は定量的にきめ細かく判定されることができる。【００３６】  図７は本発明の第２実施形態に係る角度測定器１１ａの外観を示す。この角度測定器１１ａでは、第１アームすなわち固定アーム４１の一端で支持体１４に支軸４２が形成される。この支軸４２には、支軸４２の軸心回りで回転自在に環状部材４３が受け止められる。この環状部材４３に第２アームすなわち可動アーム４４は取り付けられる。こうして可動アーム４４は、支軸４２の軸心回りで相対回転自在に固定アーム４１に連結される。こうした相対回転に基づき、可動アーム４４は固定アーム４１に並列な姿勢で固定アーム４１に重ね合わせられることができる。角度測定器１１ａは折り畳まれる。同様に、可動アーム４４は、相対回転に基づき、固定アーム４１の延長線上で延びる同軸位置に位置決めされることができる。環状部材４３には、可動アーム４４の同軸位置で可動アーム４４との間で１８０度の相対角度差を指し示す矢印表示４５が付される。【００３７】  可動アーム４４は、支軸４２の軸心に直交する基準直線回りで回転自在に環状部材４３に連結される。こういった回転の実現にあたって、環状部材４３には、基準直線に沿って軸心を規定する円筒部４６が形成される。可動アーム４４には、円筒部４６に受け入れられる回転軸４７が形成される。こうして第２回転スライドアーム２４は、支軸４２の軸心に平行に延びる第１姿勢と、支軸４２の軸心に直交する１平面に沿って延びる第２姿勢との間で姿勢を変化させることができる。同様に、固定アーム４１は、基準直線回りで回転自在に支持体１４に連結される。支持体１４や固定アーム４１には環状部材４２や可動アーム４４と同様に円筒部４６や回転軸４７が形成される。こうして第１回転スライドアーム２３は、支軸４２の軸心に平行に延びる第１姿勢と、支軸４２の軸心に直交する１平面に沿って延びる第２姿勢との間で姿勢を変化させることができる。円筒部４６内で回転軸４７の可動範囲は例えば９０度に規制されてもよい。なお、第１および第２回転スライドアーム２３、２４の姿勢変化の実現にあたってその他の機構が用いられてもよい。【００３８】  この第２実施形態では、例えば図８に示されるように、第１および第２回転スライドアーム２３、２４の案内軸３１は、長溝３３内に変位自在に受け入れられるスライダ４８に受け止められる。スライダ４８にはゴムブッシュ４９が組み込まれる。案内軸３１はゴムブッシュ４９にはめ込まれる。案内軸３１とゴムブッシュ４９との摩擦力で第１および第２回転スライドアーム２３、２４と固定および可動アーム４１、４４との相対回転は適度に規制される。こうして第１および第２回転スライドアーム２３、２４の姿勢は確実に維持される。スライダ４８の変位に基づき第１および第２回転スライドアーム２３、２４の平行移動は実現される。その他、前述の第１実施形態と均等な構成や構造には同一の参照符号が付される。【００３９】  いま、人体の骨盤の傾きを測定する場面を想定する。可動アーム４４は支軸４２回りで同軸位置に位置決めされる。第１および第２回転スライドアーム２３、２４は支軸４２の軸心に平行な姿勢に維持される。同時に、角度目盛り盤１９の「９０」度および「２７０」度は固定アーム４１および可動アーム４４に隣接する矢印表示２２に合わせ込まれる。その結果、指針２１の鏃２１ａが角度目盛り盤１９の「０」度や「１８０」度に合わせられると、固定および可動アーム４１、４４の水平姿勢は確立されることができる。その後、前述と同様に、骨盤の傾きの測定は進められればよい。【００４０】  次に、人体で上腕および前腕の角度を測定する場面を想定する。第１および第２回転スライドアーム２３、２４は平行移動および回転に基づき固定および可動アーム４１、４４内に格納される。固定アーム４１に隣接する矢印表示２２に角度目盛り盤１９の「０」度は合わせ込まれる。その後、前述と同様に測定者は例えば人体の上腕に固定アーム４１をあてがう。続いて測定者は人体の前腕に可動アーム４４をあてがう。矢印表示４５に基づき角度目盛り盤１９で角度は読み出されることができる。こうして上腕および前腕の間で相対角度は測定されることができる。可動アーム４４は前述の回転バー１７として機能することができる。【００４１】  その他、この第２実施形態に係る角度測定器１１ａは例えば前後方向に背骨の傾斜角が測定される際に利用されることができる。このとき、角度測定器１１ａでは、回転軸４７の軸心回りに固定アーム４１および可動アーム４４の回転が実施される。その結果、第１および第２回転スライドアーム２３、２４は、支軸４２の軸心に直交する平面に沿って延びる第２姿勢に位置決めされる。例えば図９に示されるように、測定者が人体の胸部および腹部に第１および第２回転スライドアーム２３、２４の先端を押し当てると、指針２１の鏃２１ａで傾斜角は指し示される。こうして背骨の傾斜角は測定されることができる。このとき、第１回転スライドアーム２３の先端および固定アーム４１の距離と第２回転スライドアーム２４の先端および可動アーム４４の距離とは一定値に合わせ込まれる。第１および第２回転スライドアーム２３、２４の固定にあたって前述のねじ部材３４が用いられればよい。【００４２】  以上のような角度測定器１１、１１ａでは、回転軸回りで不動に指針２１を仮固定する仮止め部材が傾斜角度計１３にさらに取り付けられてもよい。こういった仮止め部材は、例えば図１０に示されるように、傾斜角度計１３の筐体５２に受け止められる弾性部材５３で構成されればよい。弾性部材５３は例えば指針２１に押し付けられることができる。こうして弾性部材５３が押し付けられると、弾性部材５３の接触圧で指針２１の回転は阻止される。弾性部材５３が指針２１から引き離されると、指針２１の回転は許容される。上腕および前腕の相対角度の測定にあたって測定者は比較的に簡単に指先で指針２１に弾性部材５３を押し付けることができる。こうして指針２１の観察時に指針２１が一時的に固定されれば、鉛直方向の特定は高い精度で実現されることができる。いずれの場合でも、傾斜角度計１���では指針２１は円板で構成されてもよい。この場合には、円板上に鏃２１ａが描かれればよい。重りは、鏃２１ａから中心角１８０度でずれた位置で円板内に組み込まれればよい。【００４３】  なお、以上のような角度測定器１１、１１ａでは前述の振子式の傾斜角度計１３に代えて電子式の傾斜角度計が用いられてもよい。一般に、こういった電子式の傾斜角度計ではひずみゲージに基づき重力方向が特定される。この場合には、例えば第１固定アーム１２や第２固定アーム１５、固定アーム４１、可動アーム４４の傾斜角度が重力方向に対して特定されればよい。特定された傾斜角度は例えばデジタルでディスプレイ上に表示されればよい。
【図１】
0004445468.tif 000002
【図２】
0004445468.tif 000003
【図３】
0004445468.tif 000004
【図４】
0004445468.tif 000005
【図５】
0004445468.tif 000006
【図６】
0004445468.tif 000007
【図７】
0004445468.tif 000008
【図８】
0004445468.tif 000009
【図９】
0004445468.tif 000010
【図１０】
0004445468.tif 000011